(57)【特許請求の範囲】
【請求項１】
ブロー成形された樹脂製の中空体の不要部分であるバリをブロー成形後に切断するためのバリ除去構造を備えた中空体であって、
中空体にはバリ取り治具に固定して切断刃を切断部位に押し当てることにより剪断するバリ切断部位が形成されており、
中空体のバリ切断部位に対してバリ側または製品側に２つ以上の凹部で成る補強リブがバリ切断部位に沿って備えられていること
を特徴とするバリ除去構造を備えた中空体。
【発明の詳細な説明】
【技術分野】
【０００１】
本発明は、ブロー成形された樹脂製の中空体の不要部分であるバリ（捨て袋と称されることもある）をブロー成形後に切断するためのバリ除去構造を備えた中空体に関するものである。
【背景技術】
【０００２】
車両に装備される空調用その他のダクトは、ブロー成形された樹脂製の中空体で構成されることが多いが、ブロー成形された中空体をダクトとするには、ブロー成形時に生じる閉じた不要部分であるバリを除去する必要がある（特開昭５７−１９９６２７号公報、特公平３−５６８８８号公報、特開昭６３−１２９２４０号公報参照）。
【特許文献１】特開昭５７−１９９６２７号公報
【特許文献２】特公平３−５６８８８号公報
【特許文献３】特開昭６３−１２９２４０号公報
【発明の開示】
【発明が解決しようとする課題】
【０００３】
前掲の特開昭５７−１９９６２７号公報に記載されているように、ブロー成形された中空体のバリを除去するには、中空体のバリ切断部位に切断刃を当てて前進させる工程によりバリ切断部位を剪断するが、中空体のバリ切断部位は中空であるうえその部分には切断刃による荷重が加わって中空体のバリ切断部位およびその周辺に変形歪みが生じ、そのままの状態でバリ切断部位が剪断されるので、中空体のバリを除去した開口部が所期の形状に仕上がらないという問題があった。
【０００４】
そこで本発明は、このような問題点を解消しようとするものであって、中空体のバリ切断部位に沿ってバリ側または製品側に２つ以上の凹部で成る補強リブを備えることにより、中空体のバリ切断部位に切断刃を押し当てて剪断する過程でバリ切断部位に加わる荷重による変形歪みが周辺に波及するのを防止し、開口部の寸法精度を大きく向上させることができるバリ除去構造を備えた中空体を提供するものである。
【課題を解決するための手段】
【０００５】
上記目的を達成するための本発明の請求項１に係るバリ除去構造を備えた中空体は、ブロー成形された樹脂製の中空体の不要部分であるバリをブロー成形後に切断するためのバリ除去構造を備えた中空体であって、中空体にはバリ取り治具に固定して切断刃を切断部位に押し当てることにより剪断するバリ切断部位が形成されており、中空体のバリ切断部位に対してバリ側または製品側に２つ以上の凹部で成る補強リブがバリ切断部位に沿って備えられていることを特徴とするものである。
【発明の効果】
【０００６】
本発明によれば、中空体のバリ切断部位に沿ってバリ側または製品側に２つ以上の凹部で成る補強リブを備えることにより、中空体のバリ切断部位に切断刃を押し当てて剪断する過程でバリ切断部位に加わる荷重による変形歪みが周辺に波及するのを防止し、開口部の寸法精度を大きく向上させることができる効果が得られるものである。
【発明を実施するための最良の形態】
【０００７】
図面は本発明に係る中空体として車両に備える空調用のダクトについて例示している。図１はダクトの要部を示す側面図、図２は同上平面図、図３は図２のＡ−Ａ断面図、図４はダクトのブロー成形態様を示す断面図、図５はブロー成形後のダクトのバリ除去態様示す要部の断面図、図６はダクトの連結態様を一部破断して示す平面図である。
【０００８】
図１ないし図３に示すように、ブロー成形されたダクト１は、ダクトの本体部分に対して一端側が屈曲していて、その一端側はバリ２により閉じられている。このバリ２はダクト１を構成するうえで不要部分であるから、ブロー成形後に切断して除去する。３はパーティングラインであってブロー金型の合わせ面に形成される。図示のダクト１はその一端側が屈曲しているものであるから、ブロー成形の中心軸が屈曲している。このため、バリ２の正確な除去が難しいものである。
【０００９】
ブロー成形されたダクト１において、４は周囲を取り巻くバリ切断部位であり、このバリ切断部位４に沿ってバリ２側には撓み抑制構造５を備えている。この撓み抑制構造５は、バリ切断部位４に対してバリ２側に形成した補強リブで構成されており、撓み抑制構造５を構成する補強リブは、２つの正方形状の浅い凹部６から成るものである。補強リブの凹部６は２つに限らず１つであっても、また３つ以上であってもよく、必ずしも正方形状に限らず適宜の形状とすることができる。補強リブを構成する凹部６は、図１に示すようにパーティングライン３と略直交する方向に形成されている。補強リブ５を構成する凹部６は、バリ切断部位４に対してバリ２側にかえて製品側（ダクト本体部分側）に形成してもよく、またバリ２側および製品側の両方に形成してもよい。
【００１０】
本発明に係るダクト１は、高密度ポリエチレン、ポリプロピレン又はそれらの樹脂に低密度ポリエチレン、エチレン−プロピレンランダム重合体を配合したポリオレフィン樹脂などブロー成形可能な樹脂で構成される。
【００１１】
図１ないし図３に示すダクト１は、図５に示すようにブロー成形される。図５において７はブロー成形金型、８は吹き込みノズルである。ブロー成形金型７によりブロー成形されたダクト１は、その一端側がバリ２により閉じられている。このバリ２はダクト１を構成するうえで不要部分であるから、ブロー成形後に切断して除去する。バリ２の切断には図５に示すようにバリ取り治具９を用いるが、バリ取り治具９は、ダクト１のバリ２の部分を固定するバリ固定部１０、切断刃１１およびその移動案内溝１２を備えている。
【００１２】
ダクト１の不要分であるバリ２を除去するにあたっては、バリ取り治具９のバリ固定部１０に、ダクト１のバリ２の部分を、バリ切断部位４が切断刃１１の移動案内溝１２に対応するように装着して固定状態とする。次いでダクト１のバリ切断部位４およびその周辺部分をバリ取り治具９に固定して、切断刃１１をバリ切断部位４に押し当てるべく移動させ、バリ切断部位４を切断刃１１により剪断してダクト１からバリ２を除去する。
【００１３】
バリ２を除去したダクト１はその一端が開口するので、ダクト１の一端には、例えば図６に示すように延長ダクト１３を嵌合接続して一連のダクトを構成する。
【００１４】
本発明の一実施の形態によれば、ダクト１のバリ切断部位４に沿ってそのバリ２側に撓み抑制構造５を有しているので、ダクト１のバリ切断部位４に切断刃１１を押し当てて剪断する過程でバリ切断部位４に加わる荷重による変形歪みが周辺に波及するのが防止され、バリ切断部位４は切断刃１１により整然とした態様で剪断される。特にバリ２の正確な除去が難しいブロー成形の中心軸が屈曲しているダクト１であってもバリ切断部位４を切断刃１１により整然と切断することができる。このためダクト１の開口部は所期の形状に仕上がり、その寸法精度が大きく向上することになる。
【００１５】
なお、本発明に係るバリ除去構造を備えた中空体は、一端に成形後は不要となる捨て袋などのバリを備えた筒状部を有するものであれば、ダクトのほかタンク、チューブ、トレイ、カバーブーツ、ドレンパン等のブロー成形品に適用できる。そして、本発明に係るバリ除去構造を備えた中空体は、軟質のものから硬質のものまで種々のものがある。
【図面の簡単な説明】
【００１６】
【図１】ダクトの要部を示す側面図である。
【図２】同上平面図である。
【図３】図２のＡ−Ａ断面図である。
【図４】ダクトのブロー成形態様を示す断面図である。
【図５】ブロー成形後のダクトのバリ除去態様示す要部の断面図である。
【図６】ダクトの連結態様を一部破断して示す平面図である。
【符号の説明】
【００１７】
１  ダクト
２  バリ
３  パーティングライン
４  バリ切断部位
５  撓み抑制構造
６  補強リブを構成する凹部
７  ブロー成形金型
８  吹き込みノズル
９  バリ取り治具
１０  バリ固定部
１１  切断刃
１２  移動案内溝
１３  延長ダクト
【図１】
0005448319.tif 000002
【図２】
0005448319.tif 000003
【図３】
0005448319.tif 000004
【図４】
0005448319.tif 000005
【図５】
0005448319.tif 000006
【図６】
0005448319.tif 000007